(57)【要約】      （修正有）【課題】他方の躯体の前後方向の端部に目地プレートの動きを制限する壁面を有する場合でも地震による動きを吸収でき、目地プレートや支持台の脱落を防止できる床用目地装置を提供する。【解決手段】一方の躯体３に設けられた第１の目地プレート支持部５と、前後方向に設けられた摺動支持部６と、他方の躯体４に設けられ、端部に壁面７を有する第２の目地プレート支持部８と、一対の乗り上げ目地プレート９と、並列状態に設けられ、摺動支持部６に一端部が支持されるとともに第２の目地プレート支持部８に他端部が支持された端部目地プレート１１と、端部目地プレート１１を付勢する付勢手段１３とで構成され、摺動支持部６は前後方向に摺動できるようなスベリ部材１５を備えるとともに支持台１０が回動することを防止できるよう回動防止片が設けられ、乗り上げ目地プレート９は乗り上げ傾斜面を有し、端部目地プレート１１は押し上げ傾斜面が設けられる。【選択図】図１
2018204347.tif 000002
【特許請求の範囲】
【請求項１】
一方と他方の躯体間の目地部を塞ぐ床用目地装置において、前記一方の躯体に設けられた第１の目地プレート支持部と、該第１の目地プレート支持部の前後方向の両端部あるいは両端部付近に設けられた摺動支持部と、前記他方の躯体に設けられ、その前後方向の端部に壁面を有する第２の目地プレート支持部と、前記第１の目地プレート支持部に一端部が支持されるとともに、前記第２の目地プレート支持部に他端部が支持された一対の乗り上げ目地プレートと、該一対の乗り上げ目地プレートと略隙間なく並列状態にそれぞれ設けられ、前記摺動支持部に支持台を介して一端部が支持されるとともに、前記第２の目地プレート支持部に他端部が支持された端部目地プレートと、該端部目地プレートを一方の躯体の前後方向の端部側にそれぞれ付勢する付勢手段とで構成され、
前記摺動支持部は、前記端部目地プレート用支持台が前後方向にスムーズに摺動できるようなスベリ部材を備えるとともに、前記支持台が左右方向に回動することを防止できるよう支持台の上部に略当接するように回動防止片が設けられ、
前記乗り上げ目地プレートは、端部目地プレートと当接する側面に乗り上げ傾斜面を有するとともに、前記端部目地プレートは、前記乗り上げ傾斜面と当接する側面に押し上げ傾斜面を有する床用目地装置。
【請求項２】
前記一対の乗り上げ目地プレートの間に設けられ、前記第１の目地プレート支持部に一端部が支持されているとともに、前記第２の目地プレート支持部に他端部が支持された少なくとも１つの固定目地プレートを更に備えることを特徴とする請求項１に記載の床用目地装置。
【請求項３】
前記スベリ部材は、摺動支持部に所定間隔を有して複数個設けられた仕切壁と、該複数個の仕切壁間にそれぞれ載置されたローラーとで構成されることを特徴とする請求項１又は請求項２のいずれかに記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、他方の躯体の前後方向の端部に壁面を有し、地震によって左右の躯体が異なる前後方向に揺れ動いた際に、その壁面が目地プレートを押圧するような場合に用いられる床用目地装置としては、「一方の躯体の目地部側床躯体に形成された目地プレート支持凹部と、この目地プレート支持凹部と対応する他方の躯体の目地部側床躯体に反目地部側が傾斜面に形成された目地プレートスライド支持凹部と、この目地プレートスライド支持凹部および前記目地プレート支持凹部に支持され、目地部が狭くなるように一方の躯体と他方の躯体とが左右方向に揺れ動いた場合、先端部が該目地プレートスライド支持凹部上をスライド移動して、上方へ回動できるように複数個、隙間なく並列状態で取付けられた床用目地プレートを用いた床用目地装置において、前記一方の躯体の側壁と前記他方の躯体の側壁と当接する端部目地プレートと隣り合う目地プレートの端部目地プレート側が上方へ回動できるように支持されるとともに傾斜面に形成し、端部目地プレートの隣り合う目地プレート側の端部を該隣り合う目地プレートを押し上げることができるように傾斜面に形成するとともに、端部目地プレートの後端部を前後方向へスライド移動できるように前記目地プレート支持凹部との間にスライド移動機構を設け、前記端部目地プレートを前記一方の躯体の側壁と他方の躯体の側壁に常時当接させるように付勢する端部目地プレート付勢手段とを設けたことを特徴とする床用目地装置」が知られている（特許文献１）。
【０００３】
しかしながら、このような床用目地装置では、左右の躯体が異なる前後方向に揺れ動いた場合には、その揺れ動きを吸収できるものの、特許文献１の図１０に示すように目地部が広くなった場合に、端部目地プレートを支持するスライド移動機構の係止ピンには端部目地プレートの係止ピン挿入ケースの壁面により押圧され、他方の躯体側に引っ張るような力が加わる。そうすると、係止ピンが固定されているスライド支持体には回転力が生じ、ガイドレールから脱落するおそれがあった。
【先行技術文献】
【特許文献】
【０００４】
【特許文献１】特許第４９６９５５３号公報
【発明の概要】
【発明が解決しようとする課題】
【０００５】
本発明は以上のような従来の欠点に鑑み、他方の躯体の前後方向の端部に目地プレートの前後方向の動きを制限するような壁面を有する場合であっても、地震による揺れ動きを吸収できるとともに、目地プレートや目地プレートを支持する支持台が脱落することを防止できる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、一方と他方の躯体間の目地部を塞ぐ床用目地装置において、前記一方の躯体に設けられた第１の目地プレート支持部と、該第１の目地プレート支持部の前後方向の両端部あるいは両端部付近に設けられた摺動支持部と、前記他方の躯体に設けられ、その前後方向の端部に壁面を有する第２の目地プレート支持部と、前記第１の目地プレート支持部に一端部が支持されるとともに、前記第２の目地プレート支持部に他端部が支持された一対の乗り上げ目地プレートと、該一対の乗り上げ目地プレートと略隙間なく並列状態にそれぞれ設けられ、前記摺動支持部に支持台を介して一端部が支持されるとともに、前記第２の目地プレート支持部に他端部が支持された端部目地プレートと、該端部目地プレートを一方の躯体の前後方向の端部側にそれぞれ付勢する付勢手段とで構成され、前記摺動支持部は、前記端部目地プレート用支持台が前後方向にスムーズに摺動できるようなスベリ部材を備えるとともに、前記支持台が左右方向に回動することを防止できるよう支持台の上部に略当接するように回動防止片が設けられ、前記乗り上げ目地プレートは、端部目地プレートと当接する側面に乗り上げ傾斜面を有するとともに、前記端部目地プレートは、前記乗り上げ傾斜面と当接する側面に押し上げ傾斜面を有することを特徴とする。
【発明の効果】
【０００８】
以上の説明から明らかなように、本発明にあっては次に列挙する効果が得られる。
（１）請求項１に記載の発明においては、地震によって左右の躯体が異なる前後方向に揺れ動いた場合であっても、端部目地プレートが乗り上げ目地プレートの下部に入り込み、その揺れ動きを吸収することができる。
（２）前記支持台が左右方向に回動することを防止する回動防止片を備えているので、支持台に対して他方の躯体側に引っ張るような力が加わっても、回動防止片により支持台の回動が防止される。
したがって、支持台等が摺動支持部から脱落することを防止できる。
（３）請求項２及び請求項３に記載の各発明においても、前記（１）〜（２）と同様な効果が得られる。
【図面の簡単な説明】
【０００９】
図１乃至図１１は本発明の第１の実施形態を示す説明図である。
図１２乃至図１５は本発明の第２の実施形態を示す説明図である。
【図１】第１の実施形態を示す床用目地装置の平面図（通常時）。
【図２】図１の２−２線に沿う断面図。
【図３】図１の３−３線に沿う断面図。
【図４】第１の目地プレート支持部及び摺動支持部の説明図。
【図５】乗り上げ目地プレートの説明図。
【図６】端部目地プレートの説明図。
【図７】固定目地プレートの説明図。
【図８】地震で目地部が狭くなった場合の正面視側からの動作説明図。
【図９】地震で目地部が広くなった場合の正面視側からの動作説明図。
【図１０】地震で左右の躯体が異なる前後方向に揺れ動いた場合の平面視側からの動作説明図。
【図１１】図１０の１１−１１線に沿う断面図。
【図１２】第２の実施形態を示す床用目地装置の平面図（通常時）。
【図１３】図１２の１３−１３線に沿う断面図。
【図１４】図１２の１４−１４線に沿う断面図。
【発明を実施するための形態】
【００１０】
以下、図面に示す本発明を実施するための形態により、本発明を詳細に説明する。
図１乃至図１１に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向、上下方向とは図２における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
本実施形態の床用目地装置１は、図１乃至図３に示すように、一方の躯体３に設けられた第１の目地プレート支持部５と、第１の目地プレート支持部５の前後方向の両端部あるいは両端部付近に設けられた摺動支持部６と、他方の躯体４に設けられ、その前後方向の端部に突壁状の壁面７を有する第２の目地プレート支持部８と、第１の目地プレート支持部５（第１の目地プレート支持部５の摺動支持部が形成されていない部位５ａ、以下「支持部５ａ」という。）に一端部が支持され、第２の目地プレート支持部８に他端部が支持された前後一対の乗り上げ目地プレート９と、この一対の乗り上げ目地プレート９と隙間なく並列状態にそれぞれ設けられ、摺動支持部６に支持台１０を介して一端部が支持され、第２の目地プレート支持部８に他端部が支持された端部目地プレート１１と、一対の乗り上げ目地プレート９の間に設けられ、支持部５ａに一端部が支持され、前記第２の目地プレート支持部８に他端部が支持された固定目地プレート１２と、端部目地プレート１１を一方の躯体３の前後方向の端部側にそれぞれ付勢する付勢手段１３とで構成されている。
【００１３】
第１の目地プレート支持部５は、図４に示すように、一方の躯体３の目地部側の端部に凹所状に形成されており、その前後方向の両端部あるいは両端部付近には摺動支持部６が形成されている。この第１の目地プレート支持部５には、目地プレートを枢支するための枢支ピン１４が固定されている。
【００１４】
摺動支持部６は、図４に示すように、前記第１の目地プレート支持部５の支持部５ａよりも段差状に深い凹所状となっており、この摺動支持部６には水平状態のスベリ部材１５が設けられている。また、本実施形態では先端部にガイドレール１６を備える金具をこの凹所状の部位に固定し、摺動支持部６としている。
【００１５】
スベリ部材１５は、本実施形態では、摺動支持部６に前後方向に所定間隔を有して複数個設けられた仕切壁１７と、該複数個の仕切壁間にそれぞれ載置された円柱状のローラー１８とで構成されている。このローラー１８は本実施形態では各仕切壁１７間に２つ程度載置しているが、ローラー１７が前後方向に転動できるスペースがあればよく、各仕切壁１７間に１つずつ載置してもよいし、３つ以上載置してもよい。また、パイプ状のローラー１８を用いてもよい。
【００１６】
スベリ部材１５のローラー１８は軸支されていないものを用いているが、仕切壁１７を設けず、軸支されたローラーを用いてスベリ部材１５としてもよい。
【００１７】
この摺動支持部６の先端部には、支持台１０をガイドするガイドレール１６が前後方向に延在するように設けられている。このガイドレール１６は、上部が開口する略コ字状に形成されている。本実施形態では摺動支持部６としての金具と一体に設けられているが、例えば金具を用いずに、単に一方の躯体に形成した凹所状の部位を摺動支持部とする場合には、ボルト等によって摺動支持部６の目地部側の壁面部分に固定してもよい。このガイドレール１６の底面部分にもローラー等の転動部材１９が設けられている。
【００１８】
このガイドレール１６の前後方向の端部（躯体の前後方向の端部側）には、ストッパー２０が設けられており、このストッパー２０によって支持台１０がガイドレール１６や摺動支持部６から脱落することを防止している。
【００１９】
摺動支持部６の一方の躯体３側の側面６ａには、支持台１０の上部に略当接し、支持台１０が左右方向に回動することを防止できる回動防止片２１が設けられている。この回動防止片２１は、板状で摺動支持部６としての金具に溶接等で固定されている。
【００２０】
ところで、略当接しているという状態は、この回動防止片２１が支持台１０に当接している場合及び回動防止片２１が支持台１０とわずかな隙間を隔てて位置する状態をいうものであり、本実施形態においては後者を採用している。
【００２１】
支持台１０は、ガイドレール１６内に配置される角パイプ状の摺動部２２およびこの摺動部２１と上面が略面一となるとともに、前記一方の躯体側へ突出する板状の目地プレート支持部２３と、該目地プレート支持部２３に設けられた枢支ピン１４とで構成されている。
【００２２】
前記回動防止片２１と略当接する部位は、この目地プレート支持部２３の一方の躯体３側の端部付近である。
【００２３】
第２の目地プレート支持部８は、例えば図２に示すように、他方の躯体４の目地部２側の床面上に形成されており、目地部２と反対側の端部には傾斜面２４が形成されている。この第２の目地プレート支持部８には前後方向に壁面７が形成されている。この壁面７は本実施形態においては、第２の目地プレート支持部８が形成されている部位だけでなく、前記床面が存在する部分全体に形成されている。
【００２４】
乗り上げ目地プレート９は、図５に示すように、浅皿状で端部目地プレート１１と当接する側面に乗り上げ傾斜面２５を備える乗り上げ目地プレート本体２６と、乗り上げ目地プレート本体２６の一端部側の両端部に設けられ、第１の目地プレート支持部５に固定された枢支ピン１４が挿入されるピンボックス２７と、乗り上げ目地プレート本体２６の内部に充填されるモルタルやコンクリート等の充填部材２８と、この充填部材２８の上面に設けられた化粧板２９と、乗り上げ目地プレート本体２６の他端部側にヒンジ部材３０を介して設けられたカバープレート３１とで構成されている。
【００２５】
乗り上げ目地プレート９の前後方向の寸法は、左右の躯体の前後方向の揺れ動き幅の２倍以上であることが望ましいが、２．５倍以上に設定することが望ましい。そのように形成することにより、端部目地プレート１１が完全に乗り上げ目地プレート９の下方に入り込んでも、乗り上げ目地プレート９は斜めの状態を維持できるので、乗り上げ目地プレート９の枢支ピン１４がピンボックス２７から脱落してしまうことを防止できる。
【００２６】
また、乗り上げ目地プレート９のピンボックス２７は、端部目地プレート１１と当接する端部には設けず、その反対側端部の１箇所のみ、又は端部目地プレート１１と反対側端部及び端部目地プレート１１と当接する端部から躯体の前後方向の揺れ動き幅以上離れた部位に設けるとよい。このようにピンボックス２７及びこのピンボックス２７に挿入される枢支ピン１４を設けることにより、端部目地プレート１１が乗り上げ目地プレート９の下部に潜り込む際に、枢支ピン１４に衝突してしまうことを防止できる。
【００２７】
端部目地プレート１１は、図６に示すように、浅皿状で乗り上げ目地プレート９と当接する側面に押し上げ傾斜面３２を備える端部目地プレート本体３３と、端部目地プレート本体３３の一端部側の両端部に設けられ、支持台１０に固定された枢支ピン１４が挿入されるピンボックス２７と、端部目地プレート本体３３の内部に充填されるモルタルやコンクリート等の充填部材２８と、この充填部材２８の上面に設けられた化粧板２９と、端部目地プレート本体３３の他端部側にヒンジ部材３０を介して設けられたカバープレート３１とで構成されている。
【００２８】
なお、端部目地プレート１１の一端部側の底面には、前記回動防止片２１と干渉しないように凹部３４が形成されている。
【００２９】
固定目地プレート１２は、図７に示すように、本実施形態では公知の目地プレートと略同一の構成のものを用いており、浅皿状の固定目地プレート本体３４と、固定目地プレート本体３５の一端部側の両端部に設けられ、第１の目地プレート支持部５に固定された枢支ピン１４が挿入されるピンボックス２７と、固定目地プレート本体３５の内部に充填されるモルタルやコンクリート等の充填部材２８と、この充填部材２８の上面に設けられた化粧板２９と、固定目地プレート本体３４の他端部側にヒンジ部材３０を介して設けられたカバープレート３１とで構成されている。
なお、本実施形態では固定目地プレート１２は１つのみ設けられているが、複数個設けてもよい。
【００３０】
また、端部目地プレート１１と乗り上げ目地プレート９は、本実施形態では固定目地プレート１２と略同じ厚さ（高さ）としているが、端部目地プレート１１のみ、又は端部目地プレート１１と乗り上げ目地プレート９の両方を固定目地プレート１２よりも薄くしてもよい。この場合、摺動支持部６の高さを調節し、固定目地プレート１２、乗り上げ目地プレート９及び端部目地プレート１１の上面の高さが面一となるように形成する。
【００３１】
付勢手段１３は、本実施形態ではコイルスプリング１３が用いられており、このコイルスプリング１３の一端部は前記ストッパー２０に固定され、角パイプ状の摺動部２２の内部を通過し、その他端部は端部目地プレート１１の押し上げ傾斜面３２付近の底面に固定されている。このコイルスプリング１３は、端部目地プレート１１を常時一方の躯体３の前後方向の端部側（乗り上げ目地プレート９と反対側）へ引っ張るように付勢している。
なお、コイルスプリング１３の他端部は、支持台１０に固定してもよい。端部目地プレート１１は支持台１０に取り付けられているため、支持台１０を一方の躯体３の前後方向の端部側（乗り上げ目地プレート９と反対側）へ引っ張っても、端部目地プレート１１を一方の躯体３の前後方向の端部側へ付勢することができるためである。
【００３２】
地震で躯体３、４が左右方向に揺れ動き目地部２が狭くなると、図８に示すように、乗り上げ目地プレート９、端部目地プレート１１及び固定目地プレート１２は第２の目地プレート支持部８の傾斜面２４に乗り上げ、地震による揺れ動きを吸収する。
地震で躯体３、４が左右方向に揺れ動き目地部２が広くなると、図９に示すように、乗り上げ目地プレート９、端部目地プレート１１及び固定目地プレート１２は第２の目地プレート支持部８を左右方向にスライド移動し、地震による揺れ動きを吸収することができる。
【００３３】
この時、端部目地プレート１１の底面と第２の目地プレート支持部８との間に生じる摩擦力によって、端部目地プレート１１には他方の躯体４の方向に力が加わる。この力は、支持台１０に固定された枢支ピン１４にも加えられることとなり、支持台１０にも同方向の力が加わる。そうすると、支持台１０にはガイドレール１６と摺動部２２の当接部分を支点として左右方向に回動するような力が生じるが、支持台１０の上部（目地プレート支持部２３）に略当接するように回動防止片２１が設けられているので、支持台１０が回動してガイドレール１６から脱落することを防止している。
【００３４】
地震で躯体３、４が異なる前後方向に揺れ動くと、図１０及び図１１に示すように、一方の端部目地プレート１１は、他方の躯体４の壁面７に押圧され、乗り上げ目地プレート９を押し上げ傾斜面３２で押し上げながら、その下方へ潜り込む。
【００３５】
地震による揺れ動きが終了すると、一方の端部目地プレート１１は、付勢手段１３により一方の躯体３の端部側へ付勢され、通常時の状態に復帰する。
【００３６】
[発明を実施するための異なる形態]
次に、図１２乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１２乃至図１４に示す本発明を実施するための第２の形態において、前記本発明を実施するための第１の形態と主に異なる点は、固定目地プレートを用いずに、一対の乗り上げ目地プレート９及び端部目地プレート１１で目地部２を塞ぐいだ点で、このような目地プレート床用目地装置１Ａにしても、前記本発明を実施するための第１の形態と同様の作用効果を得ることができる。
【００３７】
なお、本発明の実施形態では、スベリ部材としてローラーを用いたものについて説明したが、例えばボールベアリング等をスベリ部材として用いてもよい。
【産業上の利用可能性】
【００３８】
本発明は床用目地装置を製造する産業で利用される。
【符号の説明】
【００３９】
１、１Ａ：床用目地装置、            ２：目地部、
３：一方の躯体、                    ４：他方の躯体、
５：第１の目地プレート支持部、      ６：摺動支持部、
７：壁面、                          ８：第２の目地プレート支持部、
９：乗り上げ目地プレート、          １０：支持台、
１１：端部目地プレート、            １２：固定目地プレート、
１３：付勢手段、                    １４：枢支ピン、
１５：スベリ部材、                  １６：ガイドレール、
１７：仕切壁、                      １８：ローラー、
１９：転動部材、                    ２０：ストッパー、
２１：回動防止片、                  ２２：摺動部、
２３：目地プレート支持部、          ２４：傾斜面、
２５：乗り上げ傾斜面、              ２６：乗り上げ目地プレート本体、
２７：ピンボックス、                ２８：充填部材、
２９：化粧板、                      ３０：ヒンジ部材、
３１：カバープレート、              ３２：押し上げ傾斜面、
３３：端部目地プレート本体、        ３４：凹部、
３５：固定目地プレート本体。
【図１】
2018204347.tif 000003
【図２】
2018204347.tif 000004
【図３】
2018204347.tif 000005
【図４】
2018204347.tif 000006
【図５】
2018204347.tif 000007
【図６】
2018204347.tif 000008
【図７】
2018204347.tif 000009
【図８】
2018204347.tif 000010
【図９】
2018204347.tif 000011
【図１０】
2018204347.tif 000012
【図１１】
2018204347.tif 000013
【図１２】
2018204347.tif 000014
【図１３】
2018204347.tif 000015
【図１４】
2018204347.tif 000016